(57)【要約】      （修正有）【課題】容易に画像の印刷の注文を行うことができる装置等を提供する。【解決手段】画像を撮影する撮影部１１と、撮影部で撮影された画像の印刷を行うか否かを入力させる入力受付部１３と、撮影部で撮影された画像の印刷を行うと入力受付部で入力された場合、画像の画像データを印刷対象画像データとして格納する格納部１２とを、格納部に格納された印刷対象画像データを、印刷の指令を行うサーバに送信する送信部１５と、を備える携帯端末１０とする。【選択図】図２
2016207162.tif 000002
【特許請求の範囲】
【請求項１】
画像を撮影する撮影部と、
前記撮影部で撮影された前記画像の印刷を行うか否かを入力させる入力受付部と、
前記撮影部で撮影された前記画像の印刷を行うと前記入力受付部で入力された場合、前記画像の画像データを印刷対象画像データとして格納する格納部と、
前記格納部に格納された前記印刷対象画像データを、前記印刷の指令を行うサーバに送信する送信部と、
を備える携帯端末。
【請求項２】
前記格納部は、前記携帯端末の利用者を識別する利用者識別子を格納し、
前記送信部は、前記印刷対象画像データとともに前記利用者識別子を前記サーバに送信する
請求項１に記載の携帯端末。
【請求項３】
前記入力受付部は、前記画像の印刷を行うと入力された場合、前記画像の印刷の印刷条件を入力させ、
前記格納部は、前記入力受付部で入力された前記印刷条件を印刷情報として前記印刷対象画像データと対応付けて格納し、
前記送信部は、前記印刷対象画像データ及び前記印刷情報を前記サーバに送信する
請求項１または２に記載の携帯端末。
【請求項４】
携帯端末で撮影された画像の画像データを、前記携帯端末から受信する受信部と、
前記画像データを格納する格納部と、
所定期間毎に、前記格納部に格納された前記画像データを、前記画像の印刷の注文を受け付ける印刷受付サーバに送信する送信部と、
を備えるサーバ。
【請求項５】
前記受信部は、前記画像データとともに前記携帯端末の利用者を識別する利用者識別子を受信し、
前記格納部は、前記利用者識別子と対応付けられた前記利用者の連絡先を格納し、
前記送信部は、前記所定期間毎に、前記格納部に格納された前記画像データ及び前記利用者識別子に対応付けられた前記利用者の連絡先を、前記印刷受付サーバに送信する
請求項４に記載のサーバ。
【請求項６】
前記受信部は、前記画像データとともに前記印刷の印刷条件を含む印刷情報を前記携帯端末から受信し、
前記格納部は、前記画像データと対応付けて前記印刷情報を格納し、
前記送信部は、前記所定期間毎に、前記格納部に格納された前記画像データ及び前記印刷情報を、前記印刷受付サーバに送信する
請求項４または５に記載のサーバ。
【請求項７】
画像を撮影する撮影部と、
前記撮影部で撮影された前記画像の印刷を行うか否かを入力させる入力受付部と、
前記撮影部で撮影された前記画像の印刷を行うと前記入力受付部で入力された場合、前記画像の画像データを印刷対象画像データとして格納する第１格納部と、
前記格納部に格納された前記印刷対象画像データを、前記印刷の指令を行うサーバに送信する第１送信部と、
を備える携帯端末と、
前記印刷対象画像データを、前記携帯端末から受信する受信部と、
前記印刷対象画像データを格納する第２格納部と、
所定期間毎に、前記第２格納部に格納された前記印刷対象画像データを、前記画像の印刷の注文を受け付ける印刷受付サーバに送信する第２送信部と、
を備えるサーバと、
を含む印刷発注システム。
【発明の詳細な説明】
【技術分野】
【０００１】
本発明は、携帯端末、サーバ、印刷発注システムに関する。
【背景技術】
【０００２】
カメラを内蔵した携帯電話やタブレット等の携帯端末が普及している。携帯端末のカメラで撮影された写真（画像）の画像データは、携帯端末自体やサーバ等に保存される。撮影された画像を印画紙（印刷用紙）に印刷することを注文するには、ネットワークを介して印刷事業者に注文する、写真店等の店頭の印刷注文受付装置に携帯端末や画像データが格納された記録媒体を接続して当該装置を操作して注文する等の方法がある。
【先行技術文献】
【特許文献】
【０００３】
【特許文献１】特開平１０−０６３６０１号公報
【特許文献２】特開２００３−２７１３４３号公報
【発明の概要】
【発明が解決しようとする課題】
【０００４】
携帯端末で撮影された画像の印刷を注文する際には、保存されている画像の画像データを読み出してディスプレイ等に画像を表示し、利用者が、印刷対象の画像を選択して、印刷の注文を行う。印刷対象の画像の選択や画像のデータのアップロードなどには、多くの時間が費やされることになる。画像の印刷の注文に時間を要すると、画像の印刷の注文に対する意欲の低下につながることがある。よって、容易に画像（写真）の印刷を注文できるようにすることが求められている。
【０００５】
本件開示の技術は、容易に画像の印刷の注文を行うことができる装置等を提供することを目的とする。
【課題を解決するための手段】
【０００６】
上記課題を解決するために、以下の手段を採用する。
即ち、第１の態様は、
画像を撮影する撮影部と、
前記撮影部で撮影された前記画像の印刷を行うか否かを入力させる入力受付部と、
前記撮影部で撮影された前記画像の印刷を行うと前記入力受付部で入力された場合、前記画像の画像データを印刷対象画像データとして格納する格納部と、
前記格納部に格納された前記印刷対象画像データを、前記印刷の指令を行うサーバに送信する送信部と、
を備える携帯端末とする。
【０００７】
第２の態様は、
携帯端末で撮影された画像の画像データを、前記携帯端末から受信する受信部と、
前記画像データを格納する格納部と、
所定期間毎に、前記格納部に格納された前記画像データを、前記画像の印刷の注文を受け付ける印刷受付サーバに送信する送信部と、
を備えるサーバとする。
【０００８】
第３の態様は、
画像を撮影する撮影部と、
前記撮影部で撮影された前記画像の印刷を行うか否かを入力させる入力受付部と、
前記撮影部で撮影された前記画像の印刷を行うと前記入力受付部で入力された場合、前記画像の画像データを印刷対象画像データとして格納する第１格納部と、
前記格納部に格納された前記印刷対象画像データを、前記印刷の指令を行うサーバに送信する第１送信部と、
を備える携帯端末と、
前記印刷対象画像データを、前記携帯端末から受信する受信部と、
前記印刷対象画像データを格納する第２格納部と、
所定期間毎に、前記第２格納部に格納された前記印刷対象画像データを、前記画像の印刷の注文を受け付ける印刷受付サーバに送信する第２送信部と、
を備えるサーバと、
を含む印刷発注システムとする。
【０００９】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【００１０】
開示の技術によれば、容易に画像の印刷の注文を行うことができる装置等を提供することができる。
【図面の簡単な説明】
【００１１】
【図１】図１は、実施形態の印刷発注システムの構成例を示す図である。
【図２】図２は、携帯端末の構成例を示す図である。
【図３】図３は、発注サーバの構成例を示す図である。
【図４】図４は、情報処理装置のハードウェア構成例を示す図である。
【図５】図５は、本実施形態の印刷発注システムの動作シーケンスの例を示す図である。
【図６】図６は、印刷予約画面の例を示す図である。
【図７】図７は、印刷条件の入力画面の例を示す図である。
【図８】図８は、印刷情報テーブルの例を示す図である。
【図９】図９は、利用者情報テーブルの例を示す図である。
【図１０】図１０は、変形例１の印刷発注システムの動作シーケンスの例を示す図である。
【発明を実施するための形態】
【００１２】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１３】
〔実施形態〕
（構成例）
図１は、本実施形態の印刷発注システムの構成例を示す図である。図１の印刷発注システム１は、携帯端末１０、発注サーバ２０、印刷受付サーバ３０を含む。携帯端末１０、サーバ２０、印刷事業者サーバ３０は、それぞれ、ネットワーク４０に通信可能に接続されている。
【００１４】
携帯端末１０は、利用者が所望する何らかの対象物をカメラで利用者の操作によって撮影し、撮影した画像を印刷するか否かの入力を利用者から受け付ける。携帯端末１０は、利用者によって印刷するとされた画像の画像データを、印刷条件（例えば、印刷用紙のサイズ、印刷枚数）を含む印刷情報と共に、発注サーバ２０に送信する。
【００１５】
発注サーバ２０は、携帯端末１０から画像データ及び印刷情報を受信し、格納する。発注サーバ２０は、定期的に、印刷受付サーバ３０に当該画像データ及び当該印刷情報を送信する。発注サーバ２０は、サーバの一例である。
【００１６】
印刷受付サーバ３０は、ネットワーク４０を介して画像の印刷の注文を、発注サーバ２０等から受け付ける。印刷受付サーバ３０は、発注サーバ２０から画像の画像データ及び印刷情報を受信する。印刷受付サーバ３０は、印刷情報に基づいて、画像を印刷する印刷装置に画像の印刷を指示する。印刷受付サーバ３０は、例えば、画像を印刷する印刷装置を有する印刷事業者に設置される。印刷受付サーバ３０は、画像を印刷する印刷装置に通信可能に接続されている。印刷受付サーバ３０は、サーバの一例である。
【００１７】
ネットワーク４０は、例えば、インターネットである。ネットワーク４０は、携帯端末１０、発注サーバ２０、印刷受付サーバ３０に、通信可能に、接続されている。
【００１８】
図２は、携帯端末の構成例を示す図である。携帯端末１０は、撮影部１１、格納部１２、入力受付部１３、表示部１４、送信部１５を含む。
【００１９】
撮影部１１は、利用者が所望する対象物を撮影するカメラを含み、当該カメラによって画像を撮影する。撮影部１１は、携帯端末１０の利用者の指示によって画像を撮影する。撮影された画像は、例えば、表示部１４に表示される。
【００２０】
格納部１２は、撮影部１１によって撮影された画像の画像データを格納する。格納部１２は、印刷対象の画像の印刷条件を含む印刷情報を格納する。印刷条件は、例えば、印刷枚数や印刷用紙のサイズ等である。格納部１２は、携帯端末１０で使用される印刷情報テーブルＴ１０等の各種テーブル、データ等を格納する。また、格納部１２は、携帯端末１０の利用者を識別する利用者ＩＤ（利用者識別子）を格納する。利用者ＩＤは、例えば、発注サーバ２０によって、あらかじめ割り当てられている。
【００２１】
入力受付部１３は、撮影部１１で撮影された画像を表示部１４に表示させ、当該画像の印刷要否の入力の受付を行う。入力受付部１３は、印刷対象の画像の印刷条件の入力を受け付ける。入力の受付は、例えば、携帯端末１０に含まれるタッチパネルに対するタッチ、キーやボタンの押し下げ等によって行われる。
【００２２】
表示部１４は、撮影部１１で撮影された画像や印刷条件の選択肢等を表示するディスプレイである。
送信部１５は、撮影部１１で撮影された画像の画像データや印刷条件などを、発注サーバ２０に送信する。
【００２３】
図３は、発注サーバの構成例を示す図である。発注サーバ２０は、受信部２１、格納部２２、送信部２３を含む。
【００２４】
受信部２１は、携帯端末１０から送信される画像データ、印刷情報、利用者ＩＤ等を受信する。受信部２１は、受信した画像データ等を格納部２２に格納する。
【００２５】
格納部２２は、携帯端末１０から送信される画像データ、印刷情報、利用者ＩＤ等を格納する。格納部２２は、利用者の連絡先等を含む利用者情報テーブルＴ２０を格納する。格納部２２は、印刷の注文を行う発注日時としての所定日時を格納する。格納部２２は、発注サーバ２０で使用される各種テーブル、データ等を格納する。
【００２６】
送信部２３は、印刷受付サーバ３０に、発注情報としての画像データ、印刷情報、利用者情報等を、送信する。送信部２３は、定期的に、発注情報を、印刷受付サーバ３０に、送信する。
【００２７】
携帯端末１０は、スマートフォン、携帯電話、タブレット型端末、カーナビゲーション装置、ＰＤＡ（Personal Digital Assistant）、ＰＣ（Personal Computer）のような専
用または汎用のコンピュータ、あるいは、コンピュータを搭載した電子機器を使用して実現可能である。発注サーバ２０、印刷受付サーバ３０は、ＰＣ、ワークステーション（ＷＳ、Work Station）のような専用または汎用のコンピュータ、あるいは、コンピュータを搭載した電子機器を使用して実現可能である。
【００２８】
図４は、情報処理装置のハードウェア構成例を示す図である。図４に示す情報処理装置９０は、一般的なコンピュータの構成を有している。携帯端末１０、発注サーバ２０、印刷受付サーバ３０は、図４に示すような情報処理装置９０によって実現される。図４は、処理装置９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。情報処理装置のハードウェア構成は、図４に示される例に限らず、適宜構成要素の省略、置換、追加が行われてもよい。
【００２９】
情報処理装置９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００３０】
プロセッサ９１は、例えば、ＣＰＵ（Central Processing Unit）やＤＳＰ（Digital Signal Processor）である。
【００３１】
メモリ９２は、例えば、ＲＡＭ（Random Access Memory）やＲＯＭ（Read Only Memory）を含む。メモリ９２は、主記憶装置とも呼ばれる。
【００３２】
記憶部９３は、例えば、ＥＰＲＯＭ（Erasable Programmable ROM）、ハードディスク
ドライブ（ＨＤＤ、Hard Disk Drive）、ソリッドステートドライブ（ＳＳＤ、Solid State Drive）である。また、記憶部９３は、リムーバブルメディア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００３３】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００３４】
オペレーティングシステムは、ソフトウェアとハードウェアとの仲介、メモリ空間の管理、ファイル管理、プロセスやタスクの管理等を行うソフトウェアである。オペレーティ
ングシステムは、通信インタフェースを含む。通信インタフェースは、通信制御部９６を介して接続される他の外部装置等とデータのやり取りを行うプログラムである。外部装置等には、例えば、他の情報処理装置、外部記憶装置等が含まれる。
【００３５】
入力部９４は、キーボード、ポインティングデバイス、ワイヤレスリモコン、タッチパネル等を含む。また、入力部９４は、カメラのような映像や画像の入力装置や、マイクロフォンのような音声の入力装置を含むことができる。
【００３６】
出力部９５は、ＣＲＴ（Cathode Ray Tube）ディスプレイ、ＬＣＤ（Liquid Crystal Display）、ＰＤＰ（Plasma Display Panel）、ＥＬ（Electroluminescence）パネル等の
表示装置、プリンタ等の出力装置を含む。また、出力部９５は、スピーカのような音声の出力装置を含むことができる。
【００３７】
通信制御部９６は、他の装置と接続し、情報処理装置９０と他の装置との間の通信を制御する。通信制御部９６は、例えば、ＬＡＮ（Local Area Network）インタフェースボード、無線通信のための無線通信回路、電話通信のための通信回路である。ＬＡＮインタフェースボードや無線通信回路は、インターネット等のネットワークに接続される。
【００３８】
携帯端末１０を実現するコンピュータは、プロセッサが二次記憶装置に記憶されているプログラムを主記憶装置にロードして実行することによって、撮影部１１、入力受付部１３、表示部１４、送信部１５としての機能を実現する。一方、格納部１２は、主記憶装置または二次記憶装置の記憶領域に設けられる。
【００３９】
発注サーバ２０を実現するコンピュータは、プロセッサが二次記憶装置に記憶されているプログラムを主記憶装置にロードして実行することによって、受信部２１、送信部２３としての機能を実現する。一方、格納部２２は、主記憶装置または二次記憶装置の記憶領域に設けられる。
（動作例）
【００４０】
図５は、本実施形態の印刷発注システムの動作シーケンスの例を示す図である。図５の例では、携帯端末１０、発注サーバ２０、印刷受付サーバ３０との間の動作シーケンスの例が示される。携帯端末１０には、画像の印刷注文用のアプリケーション（アプリ）がインストールされている。図５の動作シーケンスは、当該アプリが起動することにより開始する。携帯端末１０は、利用者によって携帯され、操作される。当該アプリは、例えば、携帯端末１０の電源がＯＮにされることにより、起動する。
【００４１】
ＳＱ１０１では、携帯端末１０の撮影部１１は、カメラで取得される画像を表示部１４に表示する。携帯端末１０の利用者は、任意の方向にカメラのレンズを向けて、表示部１４に表示される画像を確認して、所定の操作（撮影操作）により、所望の対象物を撮影する。撮影操作は、例えば、携帯端末１０に含まれるシャッターとしての所定のボタンを押し下げられることにより行われる。撮影された画像の画像データは、例えば、メモリ等に一時的に保存される。
【００４２】
ＳＱ１０２では、携帯端末１０の入力受付部１３は、撮影部１１によって画像が撮影されると、撮影部１１によって撮影された画像を含む印刷予約画面を、表示部１４に表示する。印刷予約画面は、携帯端末１０の利用者に、撮影された画像の印刷を行うか否かを、選択させる画面である。入力受付部１３は、印刷を行うか否かの入力を待機する。
【００４３】
図６は、印刷予約画面の例を示す図である。図６の例では、印刷予約画面には、撮影部１１で撮影された画像と、「印刷予約」、「保存」、「削除」の各ボタンとが、表示され
ている。「印刷予約」ボタンは、画像の印刷を予約するためのボタンである。印刷予約ボタンが選択されることは、印刷予約画面に表示されている撮影された画像の印刷が予約されることを意味する。印刷が予約された画像については、後述するように、印刷の発注がされる。
【００４４】
「印刷予約」ボタンが選択されると、入力受付部１３は、撮影された画像の画像データを、ファイル名を付けて格納部１２に保存する。当該画像の画像データは、印刷対象画像データである。さらに、入力受付部１３は、次に示す印刷条件入力画面を表示部１４に表示し、印刷条件の入力を待機する。ここでは、画像データのファイル名を、「0001.jpeg
」とする。
【００４５】
「保存」ボタンが選択されると、入力受付部１３は、撮影された画像の画像データをファイル名を付けて格納部１２に保存し、処理が、ＳＱ１０１に戻る。「削除」ボタンが選択されると、入力受付部１３は、撮影された画像の画像データを格納部１２に保存せず、処理がＳＱ１０１に戻る。
【００４６】
図７は、印刷条件の入力画面の例を示す図である。図７の例では、印刷条件の入力画面に、印刷枚数を、「１枚」、「２枚」、「３枚」から、印刷用紙のサイズを、「ＤＳＣ」、「Ｌ」、「２Ｌ」から、選択できるように、表示されている。図７の印刷条件の入力画面には、「決定」ボタンが表示されている。利用者が、所望の印刷枚数、印刷用紙のサイズを選択して、「決定」ボタンを選択することにより、印刷条件が確定する。画像が撮影され、印刷条件が確定することによって、画像の印刷の予約（印刷予約）がされる。図７の例では、印刷枚数として「１枚」、印刷用紙のサイズ「ＤＳＣ」が選択されている。
【００４７】
図７の例に限らず、他の枚数やサイズが選択されるようにしてもよい。印刷枚数として、任意の枚数を入力できるようにしてもよい。また、印刷条件として、枚数やサイズ以外に、色（カラー、白黒、セピア等）、印刷用紙の種類（光沢、マット等）等の他の情報を選択できるようにしてもよい。
【００４８】
入力受付部１３は、確定した印刷条件を、画像データのファイル名と対応付けて、印刷情報として、格納部１２の印刷情報テーブルＴ１０に格納する。
【００４９】
図８は、印刷情報テーブルの例を示す図である。図８の印刷情報テーブルＴ１０では、印刷条件である印刷枚数、印刷用紙のサイズが、画像データのファイル名と対応付けられて、印刷情報として、格納されている。図８の例では、ファイル名「0001.jpeg」の画像
データに対して、印刷枚数「１枚」、印刷用紙のサイズ「ＤＳＣ」が対応付けられている。
【００５０】
ＳＱ１０３では、携帯端末１０の送信部１５は、印刷条件が確定すると、撮影部１１で撮影された画像の画像データを格納部１２から抽出する。さらに、送信部１５は、当該画像データに対応する印刷情報を、格納部１２の印刷情報テーブルＴ１０から抽出する。また、送信部１５は、携帯端末１０の利用者を識別する利用者ＩＤを、格納部１２から抽出する。送信部１５は、格納部１２から抽出した、画像データと、当該画像データに対応する印刷情報と、携帯端末１０の利用者を識別する利用者ＩＤとを対応付けて、発注サーバ２０に送信する。画像データ、印刷情報、利用者ＩＤが発注サーバ２０に送信されると、携帯端末１０の処理は、ＳＱ１０１に戻る。
【００５１】
携帯端末１０が画像データ、印刷情報、利用者ＩＤを送信すると、発注サーバ２０の受信部２０は、画像データ等を受信する。発注サーバ２０の受信部２０は、常時、携帯端末１０等からデータが送信されることを、待機している。
【００５２】
ＳＱ１０４では、発注サーバ２０の受信部２１は、画像データ、印刷情報、利用者ＩＤを受信すると、これらを対応付けて、格納部２２に格納する。発注サーバ２０の受信部２０は、画像データ等を受信する毎に、これらを対応付けて、格納部２２に格納する。
【００５３】
ＳＱ１０５では、発注サーバ２０の送信部２３は、発注日時としての所定日時を、格納部２２から抽出する。現在時刻が当該所定日時に達していないとき、発注サーバ２０の処理はＳＱ１０３に戻る。送信部２３は、現在時刻が当該所定日時に達すると、利用者ＩＤ毎に、画像データ及び印刷情報を、格納部２２から抽出する。送信部２３は、利用者ＩＤに対応する氏名、住所を、利用者の連絡先として、格納部２２の利用者情報テーブルＴ２０から抽出する。
【００５４】
図９は、利用者情報テーブルの例を示す図である。図９の利用者情報テーブルＴ２０は、利用者毎に、利用者を識別する利用者ＩＤ、利用者の氏名、住所、電話番号を対応付けて格納する。利用者の氏名、住所、電話番号は、利用者の連絡先の例である。
【００５５】
送信部２３は、格納部２２から抽出した利用者ＩＤ毎の、画像データ、印刷情報、利用者の連絡先を対応付けて、発注情報として、印刷受付サーバ３０に送信する。送信部２３は、利用者ＩＤ毎に、発注情報を、印刷受付サーバ３０に送信する。また、送信部２３は、新たな発注日時としての所定日時を、あらかじめ決められた期間後（例えば、１か月後、１週間後）に設定し、格納部２２に格納する。送信部２３は、印刷受付サーバ３０に送信した画像データ及び印刷情報を格納部２２から削除してもよい。このようにして、送信部２３によるＳＱ１０５の処理（発注処理）は、所定期間毎に行われる。発注サーバ２０が画像データ等を印刷受付サーバ３０に送信することは、発注サーバ２０による印刷受付サーバ３０に対する印刷の指令の一例である。印刷受付サーバ３０は、発注サーバ２０から、発注情報を受信する。
【００５６】
ＳＱ１０６では、印刷受付サーバ３０は、発注情報を受信すると、画像の画像データ及び発注情報に含まれる印刷情報（印刷枚数、印刷用紙のサイズ等）に基づいて、画像を印刷することを印刷装置に指示する。印刷装置は、印刷受付サーバ３０からの指示に基づいて、画像を印刷する。また、印刷受付サーバ３０は、発注情報に含まれる利用者の連絡先を、画像が印刷された印刷用紙（写真）の送付先として、印刷することを印刷装置に指示する。印刷装置は、利用者の連絡先を、写真の送付先として、印刷する。印刷受付サーバ３０及び印刷装置を有する印刷事業者は、印刷された写真を、印刷された利用者の連絡先に、送付する。携帯端末１０の利用者は、送付された写真を受け取ることができる。
【００５７】
（実施形態の作用、効果）
携帯端末１０は、カメラで画像を撮影した直後に、利用者に画像の印刷要否を選択させる。これにより、携帯端末１０の利用者は、画像を撮影して撮り貯めた後に、印刷の要否を選択する操作をしなくてもよい。また、携帯端末１０は、撮影された画像の印刷が予約されると、当該画像の画像データを印刷情報とともに、発注サーバ２０に送信する。これにより、携帯端末１０の利用者は、画像の印刷の注文の際の画像データのアップロードをする操作をしなくてもよい。本実施形態の構成によると、携帯端末１０の利用者が撮影直後に画像の印刷要否を選択することで、画像の印刷の注文が行われる。
【００５８】
発注サーバ２０は、定期的に、携帯端末１０から受信した画像の画像データ及び印刷情報に基づく発注情報を、印刷受付サーバ３０に送信する。携帯端末１０の利用者が印刷注文の操作をすることなく、印刷受付サーバ３０に画像の印刷の注文が発注サーバ２０によって、定期的に、自動的に行われる。印刷受付サーバ３０を有する印刷事業者は、印刷受付サーバ３０で受信した発注情報に従って、画像の印刷を行い、携帯端末１０に利用者に
印刷した印刷用紙（写真）を送付する。携帯端末１０の利用者には、印刷受付サーバ３０を有する印刷事業者から、印刷予約を行った画像を印刷した印刷用紙（写真）が、定期的に送付される。
【００５９】
発注サーバ２０は、定期的に、発注情報を印刷受付サーバ３０に送信することで、まとまった数量の注文を印刷事業者に対して行うことができ、個々に注文を行う場合に比べて効率的である。また、発注情報の送信時刻として印刷事業者のアイドルタイム（早朝など）を指定することで、印刷事業者の効率化を支援できる。
【００６０】
〔変形例１〕
上記の実施形態では、発注サーバ２０が印刷受付サーバ３０に印刷の発注を行ったが、ここでは、携帯端末１０が印刷受付サーバ３０に印刷の発注を行う構成について説明する。ここでは、上記の実施形態との共通部分については説明を省略する。
【００６１】
図１０は、変形例１のシステムの動作シーケンスの例を示す図である。図１０の例では、携帯端末１０、印刷受付サーバ３０との間の動作シーケンスの例が示される。ここでは、発注サーバ２０の格納部２２に格納される発注日時としての所定日時、利用者情報テーブルＴ２０等は、携帯端末１０の格納部１２に格納される。ただし、利用者情報テーブルＴ２０に含まれる利用者情報は、携帯端末１０の利用者に関する情報のみである。
【００６２】
ＳＱ２０１及びＳＱ２０２の動作は、図５のＳＱ１０１及びＳＱ１０２の動作と同様である。
【００６３】
ＳＱ２０３では、携帯端末１０の送信部１５は、発注日時としての所定日時を、格納部１２から抽出する。現在時刻が当該所定日時に達していないとき、携帯端末１０の処理はＳＱ１０１に戻る。送信部１５は、現在時刻が当該所定日時に達すると、印刷情報を、格納部２２から抽出する。また、送信部１５は、印刷情報に含まれる画像データのファイル名で特定される画像データを、格納部１２から抽出する。送信部１５は、利用者に対応する氏名、住所を、利用者の連絡先として、格納部１２の利用者情報テーブルＴ２０から抽出する。
【００６４】
送信部１５は、格納部１２から抽出した、画像データ、印刷情報、利用者の連絡先を対応付けて、発注情報として、印刷受付サーバ３０に送信する。また、送信部１５は、新たな発注日時としての所定日時を、あらかじめ決められた期間後（例えば、１か月後、１週間後）に設定し、格納部１２に格納する。このようにして、送信部１５によるＳＱ２０３の処理（発注処理）は、所定期間毎に行われる。印刷受付サーバ３０は、発注サーバ２０から、発注情報を受信する。
ＳＱ２０４の動作は、図５のＳＱ１０６の動作と同様である。
【００６５】
このようにして、携帯端末１０は、発注サーバ２０を介することなく、画像の印刷を注文することができる。
【００６６】
〔変形例２〕
本実施形態の他の変形例について説明する。ここでは、上記の実施形態や変形例との共通部分については説明を省略する。
【００６７】
携帯端末１０の入力受付部１３は、撮影された画像に対して、図６の印刷予約画面で「印刷予約」か「保存」か「削除」かを選択させる代わりに、保存するか削除するかを選択させた後に、保存することが選択された場合に印刷予約をするか否かを選択させてもよい。
【００６８】
携帯端末１０の入力受付部１３は、図７のような印刷条件入力画面を表示部１４に表示せずに、図６の印刷予約画面で印刷予約が選択された段階で、印刷枚数「１枚」、印刷用紙のサイズ「ＤＳＣ」を印刷条件としてもよい。当該印刷条件は、例えば、あらかじめ、携帯端末１０の利用者やアプリケーション等によって、設定されており、格納部１２に格納されている。当該印刷条件は、ここに示すものに限定されるものではない。このようにすることにより、利用者の印刷予約の操作の手間を低減することができる。
【００６９】
携帯端末１０の入力受付部１３は、撮影された画像に対して図６のような印刷予約画面を表示部１４に表示せずに、すべての撮影された画像の画像データを格納部１２に保存し、保存された画像の画像データに対して印刷予約をしてもよい。即ち、画像が撮影された段階（撮影の操作がされた段階）で、印刷予約がされ、発注サーバ２０に撮影された画像の画像データと印刷条件を含む印刷情報とが送信される。このとき、例えば、印刷枚数「１枚」、印刷用紙のサイズ「ＤＳＣ」を印刷条件としてあらかじめ設定していてもよい。このようにすることにより、携帯端末１０の利用者は、画像を撮影する操作をするだけで、印刷予約を行うことができる。さらに、利用者の印刷予約の操作の手間を低減することができる。また、入力受付部１３は、画像が撮影された段階で、撮影された画像を、所定時間、プレビューとして、表示部１４に表示してもよい。当該所定時間は、０秒以上の時間が設定され、プレビュー時間として、格納部１２に格納される。プレビュー時間は、例えば、５秒から１０秒である。携帯端末１０の利用者は、プレビューとして表示部１４に表示される撮影された画像（印刷予約された画像）を確認することができる。プレビュー時間が０秒である場合、入力受付部１３は、プレビューとしての撮影された画像を表示部１４に表示しない。プレビュー時間は、例えば、あらかじめ、携帯端末１０の利用者によって指定される。
【００７０】
印刷受付サーバ３０は、利用者情報テーブルＴ２０を有していてもよい。このとき、発注サーバ２０は、発注情報として、携帯端末１０の利用者の連絡先の代わりに利用者ＩＤを、印刷受付サーバ３０に送信する。印刷受付サーバ３０は、発注サーバ２０から受信した利用者ＩＤを検索キーとして、利用者情報テーブルＴ２０を検索して、携帯端末１０の利用者の連絡先を抽出する。このようにすることにより、発注サーバ２０と印刷受付サーバ３０との間の通信量を低減することができる。
【００７１】
〔変形例３〕
本実施形態の他の変形例について説明する。ここでは、上記の実施形態や変形例との共通部分については説明を省略する。
【００７２】
発注サーバ２０の機能と印刷受付サーバ３０の機能とを一体化して１つのサーバとしてもよい。このとき、一体化したサーバが、携帯端末１０からの個々の印刷情報を集約して、印刷装置のアイドルタイムに印刷を実行する指令を、印刷装置に出してもよい。
【００７３】
〔その他〕
以上の実施形態、変形例は、可能な限りこれらを組み合わせて実施され得る。
【符号の説明】
【００７４】
１        印刷発注システム
１０          携帯端末
１１            撮影部
１２            格納部
１３            入力受付部
１４            表示部
１５            送信部
２０          発注サーバ
２１            受信部
２２            格納部
２３            送信部
３０          印刷受付サーバ
９０          情報処理装置
９１            プロセッサ
９２            メモリ
９３            記憶部
９４            入力部
９５            出力部
９６            通信制御部
【図１】
2016207162.tif 000003
【図２】
2016207162.tif 000004
【図３】
2016207162.tif 000005
【図４】
2016207162.tif 000006
【図５】
2016207162.tif 000007
【図６】
2016207162.tif 000008
【図７】
2016207162.tif 000009
【図８】
2016207162.tif 000010
【図９】
2016207162.tif 000011
【図１０】
2016207162.tif 000012